(57)【要約】【課題】放送局側に特別の設備を設けることなく、コンテンツの視聴を制御するコンテンツ視聴制御方法、放送システム、録画再生機及びプログラムを提供することにある。【解決手段】本発明は、コンテンツ視聴制御方法であって、放送局は、第１のコンテンツが放送される第１の放送特定区間に、特定信号を送出し、受信機は、前記放送局の選局中に前記特定信号の受信を記録し、前記受信機は、第２の放送特定区間に放送される第２のコンテンツの視聴時に、前記特定信号の受信記録がされているかを判定し、前記特定信号の受信記録がされていない場合には、前記第２のコンテンツの映像上に所定画像をスーパーするコンテンツ視聴制御方法である。【選択図】図１
2013183443.tif 000002
【特許請求の範囲】
【請求項１】
コンテンツ視聴制御方法であって、
放送局は、第１のコンテンツが放送される第１の放送特定区間に、特定信号を送出し、
受信機は、前記放送局の選局中に前記特定信号の受信を記録し、
前記受信機は、第２の放送特定区間に放送される第２のコンテンツの視聴時に、前記特定信号の受信記録がされているかを判定し、前記特定信号の受信記録がされていない場合には、前記第２のコンテンツの映像上に所定画像をスーパーする
コンテンツ視聴制御方法。
【請求項２】
放送局は、データ放送を用いて特定信号を送出し、
放送局は、前記放送局の選局中に前記特定信号の受信を記録し、前記第２の放送特定区間に放送されるコンテンツの視聴時に、前記特定信号の受信記録がされているかを判定し、前記特定信号の受信記録がされていない場合には、前記第２のコンテンツの映像上に前記所定画像をスーパーするプログラムを、データ放送を用いて送信する
請求項１に記載のコンテンツ視聴制御方法。
【請求項３】
コンテンツストリームとデータ放送ストリームとが共に録画され、前記コンテンツストリームの再生の際にデータ放送ストリームも再生される場合において、
前記受信機は、前記コンテンツストリームの前記第１のコンテンツが再生されることにより、前記データ放送ストリームから前記第１の放送特定区間に送出された特定信号を記録し、
前記受信機は、前記コンテンツストリームの第２のコンテンツの再生時に、前記特定信号の記録がされているかを判定し、前記特定信号の記録がされていない場合には、前記第２のコンテンツの映像上に前記所定画像をスーパーする
請求項２に記載のコンテンツ視聴制御方法。
【請求項４】
前記コンテンツストリーム内の時刻情報と現在時刻とを比較し、
前記録画時刻と前記現在時刻とが、所定日数又は所定時間以上離れている場合には、前記特定信号の記録がされていなくとも、前記第２のコンテンツの映像上に前記所定画像をスーパーしない
請求項３に記載のコンテンツ視聴制御方法。
【請求項５】
前記特定信号は、データ放送により送出されるイベントメッセージである
請求項１から請求項４のいずれかに記載のコンテンツ視聴制御方法。
【請求項６】
前記所定画像は、データ放送により受信機に送出する、又は、受信機が通信回線を介して取得する
請求項１から請求項５のいずれかに記載のコンテンツ視聴制御方法。
【請求項７】
受信機は、所定のパスワードが入力されると、第２のコンテンツの映像上に所定画像をスーパーする処理を解除する
請求項１から請求項６のいずれかに記載のコンテンツ視聴制御方法。
【請求項８】
放送システムであって、
放送局は、
第１のコンテンツが放送される第１の放送特定区間に、特定信号を送出する特定信号送出手段を有し、
受信機は、
前記放送局の選局中に前記特定信号の受信を記録する受信記録手段と、
第２の放送特定区間に放送される第２のコンテンツの視聴時に、前記特定信号の受信記録がされているかを判定し、前記特定信号の受信記録がされていない場合には、前記第２のコンテンツの映像上に所定画像をスーパーする画像表示制御手段と
を有する
放送システム。
【請求項９】
前記特定信号送出手段は、データ放送を用いて特定信号を送出し、
前記受信記録手段及び前記画像表示制御手段は、データ放送により送出されたプログラムにより動作する
請求項８に記載の放送システム。
【請求項１０】
コンテンツストリームとデータ放送ストリームとを録画する録画手段を有し、
前記受信記録手段、前記コンテンツストリームの前記第１のコンテンツが再生されることにより、前記データ放送ストリームから前記第１の放送特定区間に送出された特定信号を記録し、
前記画像表示制御手段は、前記コンテンツストリームの第２のコンテンツの再生時に、前記特定信号の記録がされているかを判定し、前記特定信号の記録がされていない場合には、前記第２のコンテンツの映像上に前記所定画像をスーパーする
請求項９に記載の放送システム。
【請求項１１】
前記画像表示制御手段は、前記コンテンツストリーム内の時刻情報と現在時刻とを比較し、前記録画時刻と前記現在時刻とが、所定日数又は所定時間以上離れている場合には、前記特定信号の記録がされていなくとも、前記第２のコンテンツの映像上に前記所定画像をスーパーしない
請求項１０に記載の放送システム。
【請求項１２】
前記特定信号は、データ放送により送出されるイベントメッセージである
請求項８から請求項１１のいずれかに記載の放送システム。
【請求項１３】
前記所定画像は、データ放送により受信機に送出する、又は、受信機が通信回線を介して取得する
請求項８から請求項１２のいずれかに記載の放送システム。
【請求項１４】
前記画像表示制御手段は、所定のパスワードが入力されると、第２のコンテンツの映像上に所定画像をスーパーする処理を解除する
請求項８から請求項１３のいずれかに記載の放送システム。
【請求項１５】
録画再生機であって、
放送されるコンテンツストリームとデータ放送ストリームとを録画する録画手段と、
前記録画手段により再生されるデータ放送ストリームから、第１のコンテンツが放送された第１の放送特定区間に送出された特定信号の受信を記録する受信記録手段と、
コンテンツストリームから第２のコンテンツの再生時に、前記受信記録手段に前記特定信号の受信記録がされているかを判定し、前記特定信号の受信記録がされていない場合には、前記第２のコンテンツの映像上に所定画像をスーパーする画像表示制御手段と
を有する録画再生機。
【請求項１６】
データ放送のプログラムであって、
第１のコンテンツが放送される第１の放送特定区間に送出された特定信号の受信を記録する処理と、
第２の放送特定区間に放送される第２のコンテンツの視聴時に、前記特定信号の受信記録がされているかを判定し、前記特定信号の受信記録がされていない場合には、前記第２のコンテンツの映像上に所定画像をスーパーする処理と
を受信機に実行させるプログラム。
【発明の詳細な説明】
【技術分野】
【０００１】
本発明は、コンテンツ視聴制御方法、放送システム、録画再生機及びプログラムに関する。
【背景技術】
【０００２】
一般に、放送事業者が視聴者向けに提供するコンテンツとしては、ドラマやスポーツなどの番組、広告を目的としたコマーシャル（ＣＭ）などが知られている。放送事業者は、広告を目的としたコマーシャル（ＣＭ）の放送が主たる収入源であり、多くの放送事業者にとって視聴者にいかにコマーシャル（ＣＭ）を視聴してもらうかが大きな課題である。
【０００３】
一方で、視聴者は、番組コンテンツを視聴するとき、番組コンテンツ内のあるタイミングで放送されるコマーシャル（ＣＭ）コンテンツ等を視聴しなければならず、それを避けるために、コマーシャル（ＣＭ）放送中は他のテレビ局にチャンネルを変更し、コマーシャル（ＣＭ）の放送が終了した頃を見計らって再びチャンネルを戻して番組コンテンツを視聴するといったことが行われていた（いわゆるザッピング）。
【０００４】
更に、近年では、録画再生技術が進歩し、何局ものテレビ放送を同時に録画し、好きな時間に再生（タイムシフト再生）して番組コンテンツを視聴するスタイルも定着してきている。このようなタイムシフト再生の視聴の場合、番組コンテンツ以外のコマーシャル（ＣＭ）等をスキップし、番組コンテンツのみを視聴するといたケースが、生放送の視聴時よりも増加すると考えられる。
【０００５】
そこで、当該番組コンテンツにリンクしたコマーシャル（ＣＭ）などの再生条件に視聴者の意図を反映させ、視聴者の要求に柔軟に対応した方法でコマーシャル（ＣＭ）などのコンテンツを視聴させるコンテンツ提供技術が特許文献１に開示されている。
【０００６】
特許文献１の技術は、放送予定の番組を紹介するコマーシャル（ＣＭ）コンテンツと番組コンテンツとの双方間における受信機側での再生時間条件を規定しない状態で、コマーシャル（ＣＭ）コンテンツと番組コンテンツとを受信機に送信するコンテンツ送信手段と、コマーシャル（ＣＭ）コンテンツと番組コンテンツとの関連付けを示し、コマーシャル（ＣＭ）コンテンツを番組コンテンツにリンクして再生させるためのコマーシャル（ＣＭ）リンクメタデータを、コマーシャル（ＣＭ）コンテンツ又は番組コンテンツに付加するメタデータ付加手段とを有する。このメタデータには、コンテンツＩＤと番組開始時からの相対時間が規定されており、番組コンテンツの再生開始時からその相対時間が経過したときに、上記コンテンツＩＤのスポット・コマーシャル（ＣＭ）コンテンツを強制的に再生させる。また、一旦コマーシャル（ＣＭ）コンテンツが再生されたときに、連続して再生するコンテンツの最低数を規定する。ここでは、一度スポット・コマーシャル（ＣＭ）コンテンツが再生されると、少なくとも３つのコンテンツを再生することが等規定されている（特許文献１：段落番号００４１−００４６参照）。すなわち、コンテンツに視聴制限をかけることにより、コマーシャル（ＣＭ）コンテンツを強制的に視聴させるシステムである。
【先行技術文献】
【特許文献】
【０００７】
【特許文献１】特開２００２−２６８５９５号公報
【発明の概要】
【発明が解決しようとする課題】
【０００８】
しかしながら、特許文献１の技術は、放送局側に特別の設備を設けなければならない。更に、特許文献１の技術は、番組コンテンツの代わりにコマーシャル（ＣＭ）等を強制表示するため、視聴者は番組コンテンツの視聴中であってもコマーシャル（ＣＭ）コンテンツを強制的に視聴させられる。このような場合、視聴者は強制視聴を敬遠し、視聴者がその放送局の番組コンテンツの視聴自体を避ける可能性がある。
【０００９】
そこで、本発明は上記課題に鑑みて発明されたものであって、その目的は、放送局側に特別の設備を設けることなく、コンテンツの視聴を制御するコンテンツ視聴制御方法、放送システム、録画再生機及びプログラムを提供することにある。
【００１０】
また、他の目的は、視聴者がコマーシャル（ＣＭ）コンテンツ等を視聴していない場合であっても、そのコマーシャル（ＣＭ）コンテンツ等に関連する番組コンテンツを視聴することができ、更に、視聴者に違和感なく、コマーシャル（ＣＭ）コンテンツを提供することができるコンテンツの視聴を制御するコンテンツ視聴制御方法、放送システム、録画再生機及びプログラムを提供することにある。
【課題を解決するための手段】
【００１１】
本発明は、コンテンツ視聴制御方法であって、放送局は、第１のコンテンツが放送される第１の放送特定区間に、特定信号を送出し、受信機は、前記放送局の選局中に前記特定信号の受信を記録し、前記受信機は、第２の放送特定区間に放送される第２のコンテンツの視聴時に、前記特定信号の受信記録がされているかを判定し、前記特定信号の受信記録がされていない場合には、前記第２のコンテンツの映像上に所定画像をスーパーするコンテンツ視聴制御方法である。
【００１２】
本発明は、放送システムであって、放送局は、第１のコンテンツが放送される第１の放送特定区間に、特定信号を送出する特定信号送出手段を有し、受信機は、前記放送局の選局中に前記特定信号の受信を記録する受信記録手段と、第２の放送特定区間に放送される第２のコンテンツの視聴時に、前記特定信号の受信記録がされているかを判定し、前記特定信号の受信記録がされていない場合には、前記第２のコンテンツの映像上に所定画像をスーパーする画像表示制御手段とを有する放送システムである。
【００１３】
本発明は、録画再生機であって、放送されるコンテンツストリームとデータ放送ストリームとを録画する録画手段と、前記録画手段により再生されるデータ放送ストリームから、第１のコンテンツが放送された第１の放送特定区間に送出された特定信号の受信を記録する受信記録手段と、コンテンツストリームから第２のコンテンツの再生時に、前記受信記録手段に前記特定信号の受信記録がされているかを判定し、前記特定信号の受信記録がされていない場合には、前記第２のコンテンツの映像上に所定画像をスーパーする画像表示制御手段とを有する録画再生機である。
【００１４】
本発明は、データ放送のプログラムであって、第１のコンテンツが放送される第１の放送特定区間に送出された特定信号の受信を記録する処理と、第２の放送特定区間に放送される第２のコンテンツの視聴時に、前記特定信号の受信記録がされているかを判定し、前記特定信号の受信記録がされていない場合には、前記第２のコンテンツの映像上に所定画像をスーパーする処理とを受信機に実行させるプログラムである。
【発明の効果】
【００１５】
本発明は、第１のコンテンツを視聴しない場合、第２のコンテンツの映像中にスポンサーのロゴ等の所定画像がスーパーされるので、第２のコンテンツのコンテンツだけを視聴している視聴者に対して、第１のコンテンツに関連する所定画像を強制的に違和感なく視聴させることができる。
【図面の簡単な説明】
【００１６】
【図１】図１は本発明の概要を説明する為の図である。
【図２】図２は第２のコンテンツの映像中に所定の画像がスーパーされた一例を示す図である。
【図３】図３は第２のコンテンツの映像中に所定の画像がスーパーされない一例を示す図である。
【図４】図４は第１の実施の形態の構成図である。
【図５】図５は放送局１のブロック図である。
【図６】図６は受信機２のブロック図である。
【図７】図７は受信機２のイベントメッセージの受信記録の動作フローチャートである。
【図８】図８は受信機２の番組視聴時の動作のフローである。
【図９】図９は第２の実施の形態における録画再生装置３のブロック図である。
【図１０】図１０は第２の実施の形態の録画再生装置３のイベントメッセージの記録の動作フローチャートである。
【図１１】図１１は第２の実施の形態の録画再生装置３の再生時の動作フローチャートである。
【図１２】図１２は第２のコンテンツの映像中に所定の画像がスーパーされた一例を示す図である。
【発明を実施するための形態】
【００１７】
本発明の概要を説明する。
【００１８】
本発明は、放送局が、第１のコンテンツが放送される第１の放送特定区間に、特定信号を送出し、受信機が、放送局の選局中に特定信号の受信を記録し、第２の放送特定区間に放送される第２のコンテンツの視聴時に、特定信号の受信記録がされているかを判定し、特定信号の受信記録がされていない場合には、第２のコンテンツの映像上に所定画像をスーパーするものである。
【００１９】
ここで、第１の放送特定区間のコンテンツの代表的な例としては、コマーシャルがある。また、第２の放送特定区間のコンテンツの代表的な例としては、コマーシャルのスポンサーが提供する番組がある。また、第１の放送特定区間に放送される特定信号の例としては、データ放送で放送されるイベントメッセージがあるが、これに限られない。例えば、データ放送のモジュールがある。
【００２０】
イベントメッセージの例では、放送局は、第１の放送特定区間にイベントメッセージを放送する。受信機は、第１の放送特定区間中に当該放送局のチャンネルを選局している場合、その放送局が第１の放送特定区間中に送出したイベントメッセージの受信を記録する。そして、イベントメッセージの受信記録が受信機に記録されていれば、受信機は第１の放送特定区間に放送されるコンテンツを視聴したものと判定することができる。
【００２１】
ここで、第１の放送特定区間と第２の放送特定区間との特定であるが、以下のような方法がある。
（１）放送局では、放送時間を運行管理する運行管理コンピュータがあり、その運行管理に基づいて、第１の放送特定区間中に所定の間隔でイベントメッセージを送信し、第２の放送特定区間になった時点でイベントメッセージの送出を中止する。そして、受信機は、イベントメッセージが検出されている間は第１の放送特定区間であると判定し、イベントメッセージが検出されない間は第２の放送特定区間であると判定する。
（２）運行管理コンピュータの運行管理に基づいて、第１の放送特定区間中に、第１の放送特定区間であること又は第１のコンテンツであることを識別する識別情報を付した第１のイベントメッセージを送信し、第２の放送特定区間中に、第２の放送特定区間であること又は第２のコンテンツであることを識別する識別情報を付した第２のイベントメッセージを送信する。そして、受信機は、第１のイベントメッセージが検出されている間は第１の放送特定区間であると判定し、第２のイベントメッセージが検出されない間は第２の放送特定区間であると判定する。
【００２２】
以上は、イベントメッセージを用いた一例であり、他の方法でもかまわない。
【００２３】
イベントメッセージの受信記録や、受信記録に基づく第２のコンテンツの映像上への所定画像のスーパーを制御するプログラムは、データ放送のＢＭＬを用いることにより、受信機で実行することができる。
【００２４】
次に、動作の概要を、図１を用いて具体的に説明する。
【００２５】
放送局は、第１のコンテンツ（例えば、コマーシャル（ＣＭ））が放送される第１の放送特定区間（例えば、コマーシャル（ＣＭ）の放送時間）に第１のイベントメッセージを送信する。このとき、第１のイベントメッセージのプライベート領域（Private_data_byte）に、第１のコンテンツを識別する識別情報を記載しておく。また、データ放送を用いて、プライベート領域（Private_data_byte）に第１のコンテンツを識別する識別情報ａが記載されている第１のイベントメッセージを受信した場合には、その第１のイベントメッセージの受信記録を受信機の所定の記憶領域Ａに記録するイベントメッセージ受信記録プログラムを、第１の放送特定区間が始まる前、及び／又は、第１の放送特定区間中に送信する。
【００２６】
当該放送局を選局している受信機では、イベントメッセージ受信記録プログラムとイベントメッセージとを受信する。そして、受信機は、イベントメッセージ受信記録プログラムにより、受信したイベントメッセージのプライベート領域（Private_data_byte）に第１のコンテンツを識別する識別情報ａが記載されている場合には、その第１のイベントメッセージの受信記録を記憶領域Ａに記録する。
【００２７】
続いて、放送局は、第２のコンテンツ（例えば、番組本編）が放送される第２の放送特定区間が始まる前、及び／又は、第２の放送特定区間中に、所定の画像（例えば、コマーシャルのスポンサーのロゴ等）のスーパーを制御する画像スーパー制御プログラムを、データ放送を用いて送信する。更に、放送局は、第２のコンテンツ（例えば、番組本編）が放送される第２の放送特定区間（例えば、番組本編の放送時間）に第２のイベントメッセージを送信する。このとき、第２のイベントメッセージのプライベート領域（Private_data_byte）に、第２のコンテンツを識別する識別情報ｂを記載しておく。
【００２８】
受信機は、第２の放送特定区間において、画像スーパー制御プログラムにより、受信したイベントメッセージのプライベート領域（Private_data_byte）に第２のコンテンツを識別する識別情報ｂが記載されている場合には第２の放送特定区間であると判断し、記憶領域Ａにイベントメッセージの受信が記録されているかを判定し、記憶領域Ａにイベントメッセージの受信記録がない場合には、第２のコンテンツの映像上に所定画像をスーパーする。図２は、第２のコンテンツの映像上に所定画像（提供○○○株式会社）をスーパーした場合の表示例を示したものである。尚、所定画像は、画像スーパー制御プログラムに一緒に含めて放送により配信しても良いし、受信機が通信回線に接続されている場合には、所定のサーバから取得するようにしても良い。
【００２９】
一方、記憶領域Ａにイベントメッセージの受信記録がある場合には、第２のコンテンツの映像に、画像のスーパーを行わない。図３は、第２のコンテンツの映像上に所定の画像をスーパーしない場合の表示例を示したものである。
【００３０】
このようにして第１の放送特定区間の第１のコンテンツを視聴しなかった場合、それ以降の第２の放送特定区間の第２コンテンツの視聴時に、第２コンテンツの放送映像上に、放送局が指定した画像をスーパーする。
【００３１】
以下、具体的な実施の形態を説明する。
＜第１の実施の形態＞
本発明の第１の実施の形態を説明する。
【００３２】
図４は本発明の第１の実施の形態の放送システムの構成図であり、１は放送局、２は受信機である。
【００３３】
図５は放送局１のブロック図である。
【００３４】
放送局１は、図５に示す如く、イベントメッセージ送出部（ＥＭ送出部）１１と、ＢＭＬ送出部１２と、データ放送多重部１３と、映像・音声送出部１４と、ＴＳ送出部１５とを備える。
【００３５】
イベントメッセージ送出部（ＥＭ送出部）１１は、第１の放送特定区間に第１のイベントメッセージを送出し、第２の放送特定区間に第２のイベントメッセージを送出するものである。イベントメッセージの送出は、第１の放送特定区間又は第２の放送特定区間の放送時間を特定するため、少なくともそれぞれの放送特定区間の開始時と終了時に送出が必要であるが、各放送特定区間中にいくつのイベントメッセージを送出するかは本発明の趣旨を逸脱しない範囲で決定する。例えば、その特定区間を認識できる送出回数、例えば、１秒ごとに１回の割合で送出する。また、第１の放送特定区間を特定するため、例えば、異なるスポンサーのコマーシャルが複数ある場合などは、イベントメッセージのプライベート領域（Private_data_byte）などに、その放送特定区間を識別する識別情報を付加する。同様に、番組が複数ある場合にはイベントメッセージのプライベート領域（Private_data_byte）などに、その放送特定区間を識別する識別情報を付加する。
【００３６】
ＢＭＬ送出部１２は、受信機に、放送局１から送出されるイベントメッセージを受信記録させるイベントメッセージ受信記録プログラムと、第２のコンテンツ（番組コンテンツ）の放送区間を特定し、イベントメッセージの受信記録から第２のコンテンツ（番組コンテンツ）の映像上に所定画像をスーパーするか否かの判定及び映像上に画像をスーパーする画像スーパー制御プログラムとを送出する。イベントメッセージ受信記録プログラムは、少なくとも第１の放送特定区間の開始時よりも早く送出されていることが好ましい。また、同様に、画像スーパー制御プログラムは、少なくとも第２の放送特定区間の開始時よりも早く送出されていることが好ましい。また、イベントメッセージ受信記録プログラムと画像スーパー制御プログラムとをひとつのプログラムにまとめ、第１の放送特定区間の開始時よりも早く送出するようにしても良い。
【００３７】
尚、本実施の形態では、第１の放送特定区間と第２の放送特定区間との特定する方法として、第１の放送特定区間と第２の放送特定区間とで異なるイベントメッセージを送出して、第１の放送特定区間と第２の放送特定区間とを特定する例を説明するが、これに限らず、上述した（１）の方法により特定しても良い。
【００３８】
データ放送多重部１３は、イベントメッセージ送出部（ＥＭ送出部）１１からのイベントメッセージや、ＢＭＬ送出部１２からのイベントメッセージ受信記録プログラム及び画像スーパー制御プログラムを多重してデータ放送にする。
【００３９】
映像・音声送出部１４は、本線側の映像・音声を送出するものである。
【００４０】
ＴＳ送出部１５は、データ放送と本線側の映像・音声とをトランスポートストリーム（ＴＳ）に変換して送出する。
【００４１】
次に、受信機２を説明する。図６は受信機２のブロック図である。
【００４２】
受信機２は、チューナー部２１と、復調部２２と、ＴＳデコード２３と、イベントメッセージ検出部２４と、記憶部２５と、画像スーパー判定部２６と、映像制御部２７と、表示部２８とを備える。
【００４３】
このような構成において、チューナー部２１および復調部２１で選局を行い、ＴＳを選択する。そして、ＴＳデコード２３によりＴＳをデコードし、本線映像・音声信号は映像制御部２７により出力部２８に表示・出力される。
【００４４】
イベントメッセージ検出部２４は、データ放送により受信したイベントメッセージ受信記録プログラム（ＢＭＬ）で動作し、データ放送のイベントメッセージの受信を検出し、検出したイベントメッセージのプライベート領域（Private_data_byte）に第１の放送特定区間を特定する識別情報があれば、そのイベントメッセージの受信を記憶部２５に記録するものである。ここで、記録部２５については特に限定するものではないが、例えば、ＮＶＲＡＭや、Ｇｒｅｇ（ジーレジ）等がある。また、データ放送のイベントメッセージの受信を検出し、検出したイベントメッセージのプライベート領域（Private_data_byte）に第２の放送特定区間を特定する識別情報があれば、画像スーパー判定部２６に検出信号を送出する。
【００４５】
画像スーパー判定部２６は、データ放送により受信した画像スーパー制御プログラム（ＢＭＬ）で動作する。そして、イベントメッセージ検出部２４から第２の放送特定区間（例えば、番組の放送時間）を特定する識別情報を有するイベントメッセージの検出を受けると、第１の放送特定区間を特定するイベントメッセージの受信記録が記憶部２５にされているかを判定する。そして、記憶部２５にイベントメッセージの受信記録がない場合には、第２のコンテンツの映像上に所定画像をスーパーする指示を映像制御部２７に出力する。一方、記憶部２５にイベントメッセージの受信記録がある場合には、指示を出力しない。
【００４６】
映像制御部２７は、画像スーパー判定部２６により、記憶部２５にイベントメッセージの受信記録がない場合には、第２のコンテンツの映像上に所定の画像をスーパーする。尚、第２のコンテンツの映像上にスーパーする画像であるが、データ放送により、プログラムと共に静止画像（例えば、ＧｉｆやＪｐｅｇ）や動画像（ming等）等を送っても良いし、受信機が通信回線に接続されている場合には、放送局のサーバ又はスポンサーのサーバから取得するようにしても良い。
【００４７】
次に、上述した構成の動作を説明する。尚、以下の例では、第１のコンテンツをコマーシャルとし、第２のコンテンツをコマーシャルのスポンサーが提供している番組とする。また、各コマーシャルを識別する識別情報として“ＣＭ０１”、“ＣＭ０２”というように各コマーシャルを区別するものとし、以下の動作の説明については一般化するために、各識別子の数字の部分を“＊＊”と表すものとする。同様に、各コマーシャルに対応する番組本編を識別する識別情報として“ＭＡＩＮ０１”、“ＭＡＩＮ０２”というように番組本編を区別するものとし、以下の動作の説明については一般化するために、各識別子の数字の部分を“＊＊”と表すものとする。そして、第１の放送特定区間（コマーシャル）を特定する第１のイベントメッセージのプライベート領域（Private_data_byte）には、そのコマーシャルを識別する識別情報として、“ＣＭ＊＊”を記載するものとする。また、第２の放送特定区間（番組本編）を特定する第２のイベントメッセージのプライベート領域（Private_data_byte）には、その番組本編を識別する識別情報として、“ＭＡＩＮ＊＊”を記載するものとする。
【００４８】
まず、放送局１のＢＭＬ送出部１２は、イベントメッセージ受信記録プログラムと、画像スーパー制御プログラムとを送出する。イベントメッセージ受信記録プログラムは、受信したイベントメッセージのプライベート領域（Private_data_byte）に、“ＣＭ＊＊”の記載がある場合、記憶部２５のＧ-reg_領域に“ＣＭ＊＊”を記録するものである。また、イベントメッセージ受信記録プログラムは、受信したイベントメッセージのプライベート領域（Private_data_byte）に“ＭＡＩＮ＊＊”の記載がある場合、画像スーパー判定部２６に第２のイベントメッセージの検出を通知する。尚、イベントメッセージ受信記録プログラムは、第１の放送特定区間の開始時よりも早く送出する。また、画像スーパー制御プログラムは、第２の放送特定区間の開始時よりも早く送出する。
【００４９】
放送局１のイベントメッセージ送出部１１は、第１のイベントメッセージのプライベート領域（Private_data_byte）に、コマーシャルを識別する識別情報“ＣＭ＊＊”を記載し、そのイベントメッセージを第１の放送特定区間中に送出する。また、第２のイベントメッセージのプライベート領域（Private_data_byte）に、“ＣＭ＊＊”に対応する番組本編を識別する識別情報“ＭＡＩＮ＊＊”を記載し、そのイベントメッセージを第２の放送特定区間中に送出する。
【００５０】
次に、受信機２の動作について説明する。図７は受信機２のイベントメッセージの受信記録の動作フローチャートである。
【００５１】
まず、受信機２のイベントメッセージ検出部２４は、放送局１を選局中にイベントメッセージの受信を監視する（Ｓｔｅｐ１００）。
【００５２】
イベントメッセージの受信が検出され、検出されたイベントメッセージのプライベート領域に、識別情報“ＣＭ＊＊”が記載されていれば（Ｓｔｅｐ１０１）、記憶部２５（Ｇ-reg_領域）に“ＣＭ＊＊”を記録する（Ｓｔｅｐ１０２）。また、検出されたイベントメッセージのプライベート領域に、識別情報“ＭＡＩＮ＊＊”が記載されていれば（Ｓｔｅｐ１０３）、画像スーパー判定部２６に第２のイベントメッセージの検出を通知する（Ｓｔｅｐ１０４）。
【００５３】
一方、イベントメッセージの受信が検出されず、又は、検出されたイベントメッセージのプライベート領域に、識別情報“ＣＭ＊＊”又は“ＭＡＩＮ＊＊”が記載されていなければ、Ｓｔｅｐ１００に戻り監視を続ける。
【００５４】
続いて、受信機２の番組視聴時の動作のフローを説明する。図８は受信機２の番組視聴時の動作のフローである。
【００５５】
受信機２の画像スーパー判定部２６は、放送局１を選局して視聴しているコンテンツが、番組本編であるかを判定する（Ｓｔｅｐ２００）。具体的には、イベントメッセージ検出部２４が、プライベート領域（Private_data_byte）に番組本編を識別する識別情報“ＭＡＩＮ＊＊”が記載されているイベントメッセージを検出し、その検出が画像スーパー判定部２６に通知されると、画像スーパー判定部２６は、視聴しているコンテンツが番組本編であると判定する。
【００５６】
番組本編視聴中であるならば（Ｓｔｅｐ２０１）、記憶部２５（Ｇ-reg_領域）に“ＭＡＩＮ＊＊”に対応する“ＣＭ＊＊”を記録されているかを判定する（Ｓｔｅｐ２０２）。記録されていなければ、番組の映像上に所定画像のスーパーを行う（Ｓｔｅｐ２０３）。そして、タイマー処理を開始し（Ｓｔｅｐ２０４）、タイマーを計測する（Ｓｔｅｐ２０５）。タイマーの計測開始から所定時間経過すると（Ｓｔｅｐ２０６）、画像のスーパーを中止する（Ｓｔｅｐ２０７）。
【００５７】
一方、記憶部２５（Ｇ-reg_領域）に“ＭＡＩＮ＊＊”に対応する“ＣＭ＊＊”を記録されている場合には（Ｓｔｅｐ２０２）、番組本編の映像上にスーパーを行わず終了する。
【００５８】
以上の如く、第１の実施の形態では、コマーシャル（ＣＭ）放送中は他のテレビ局にチャンネルを変更し、コマーシャル（ＣＭ）の放送が終了した頃を見計らって再びチャンネルを戻して番組コンテンツを視聴するといった場合であっても、番組コンテンツの視聴中に、その映像上にスポンサーなどのロゴがスーパーされ、視聴者はスポンサーなどのロゴを番組の映像と共に視聴することとなるので、ザッピングの対策として有効である。
【００５９】
＜第２の実施の形態＞
第２の実施の形態を説明する。
【００６０】
デジタル放送は、トランスポートストリーム（ＴＳ）で放送されており、放送された番組を録画する際に、映像・音声のＴＳのみならず、データ放送等のＴＳもそのまま記録する録画再生器がある。そこで、第２の実施の形態は、映像・音声のＴＳのみならず、データ放送等のＴＳもそのまま記録する録画再生器に対して、本発明を適用した場合の実施の形態である。
【００６１】
図９は第２の実施の形態における録画再生装置３のブロック図である。
【００６２】
録画再生装置３は、第１の実施の形態の受信機２と基本的な構成は同様であるが、放送されたＴＳ（トランスポートストリーム）をそのまま記録する記録部３１を備え、再生された映像・音声等を外部の出力部（テレビ等）に出力する点が異なる。
【００６３】
また、番組再生時においては、記憶部３１に記憶されているＴＳ（トランスポートストリーム）がＴＳデコーダ部２３に直接入力されることである。
【００６４】
更に、ＢＭＬ送出部１２から送出されるイベントメッセージ受信記録プログラム及び画像スーパー制御プログラムが異なる所である。以下、第１の実施の形態と異なる所を中心に説明する。
【００６５】
ＢＭＬ送出部１２は、放送局１から送出されるイベントメッセージ受信記録プログラムと、画像スーパー制御プログラムとを送出する点で同様である。
【００６６】
しかし、画像スーパー制御プログラムが録画にも対応するものである点で異なる。すなわち、画像スーパー制御プログラムは、上述した第１の実施の形態に加えて、現在再生しているものが、どのくらい過去に放送されたものであるか否かの判定を行う機能を有している。例えば、再生にあたって、録画再生装置３の現在時刻と再生されるＴＳ内のＴＯＴの時刻とを比較し、録画再生装置３の現在時刻と再生されるＴＳ内のＴＯＴの時刻が所定時間（日数）以上離れている場合には、記憶部２５に第１のコンテンツの識別情報が記載されたイベントメッセージの受信記録の有無にかかわらず、第２のコンテンツの映像上に所定画像をスーパーは行わないように、画像スーパー判定部２６を動作させるプログラムが追記されている。このように構成した理由は、録画再生の場合には、実際に放送された日時から相当程度経過して視聴する場合があり、そのような場合には、スポンサー効果も償却したと考えられるからである。また、あまりにも過去の画像等を表示することは、かえってスポンサー等の企業のイメージダウンにもつながる可能性があるからである。
【００６７】
次に、第２の実施の形態の動作を説明する。図１０は録画再生装置３のイベントメッセージの受信記録の動作フローチャートである。
【００６８】
まず、録画再生装置３のイベントメッセージ検出部２４は、コンテンツ再生中のイベントメッセージを監視する（Ｓｔｅｐ３００）。
【００６９】
コンテンツがスキップや早送りされずに再生されてイベントメッセージが検出されると、検出されたイベントメッセージのプライベート領域に、識別情報“ＣＭ＊＊”が記載されていれば（Ｓｔｅｐ３０１）、記憶部２５（Ｇ-reg_領域）に“ＣＭ＊＊”を記録する（Ｓｔｅｐ３０２）。また、検出されたイベントメッセージのプライベート領域に、識別情報“ＭＡＩＮ＊＊”が記載されていれば（Ｓｔｅｐ３０３）、画像スーパー判定部２６に第２のイベントメッセージの検出を通知する（Ｓｔｅｐ３０４）。尚、コンテンツがスキップや早送りされた場合には、イベントメッセージは検出されない。
【００７０】
一方、イベントメッセージの受信が検出されず、又は、検出されたイベントメッセージのプライベート領域に、識別情報“ＣＭ＊＊”又は“ＭＡＩＮ＊＊”が記載されていなければ、Ｓｔｅｐ３００に戻り監視を続ける。
【００７１】
続いて、録画再生装置３の番組視聴時の動作のフローを説明する。図１１は録画再生装置３の番組視聴時の動作のフローである。
【００７２】
まず、録画再生装置３は、録画再生されるＴＳ内のＴＯＴの時刻と録画再生装置３の現在時刻との差を取り、差が所定日数未満ならば（Ｓｔｅｐ４００）、Ｓｔｅｐ４０２に進む。一方、差が所定日数以上ならば、スーパー処理は行わず終了する。
【００７３】
受信機２の画像スーパー判定部２６は、再生しているコンテンツが、番組本編であるかを判定する（Ｓｔｅｐ４０１）。具体的には、イベントメッセージ検出部２４が、プライベート領域（Private_data_byte）に番組本編を識別する識別情報“ＭＡＩＮ＊＊”が記載されているイベントメッセージを検出し、その検出が画像スーパー判定部２６に通知されると、画像スーパー判定部２６は、視聴しているコンテンツが番組本編であると判定する。
【００７４】
番組本編であるならば（Ｓｔｅｐ４０２）、記憶部２５（Ｇ-reg_領域）に、“ＭＡＩＮ＊＊”に対応する“ＣＭ＊＊”を記録されているかを判定する（Ｓｔｅｐ４０３）。記録されていなければ、本編の映像上に所定画像のスーパーを行う（Ｓｔｅｐ４０４）。そして、タイマー処理を開始し（Ｓｔｅｐ４０５）、タイマーを計測する（Ｓｔｅｐ４０６）。タイマーの計測開始から所定時間経過すると（Ｓｔｅｐ４０７）、画像スーパーを中止する（Ｓｔｅｐ４０８）。
【００７５】
一方、記憶部２５（Ｇ-reg_領域）に、“ＭＡＩＮ＊＊”に対応する“ＣＭ＊＊”を記録されている場合には（Ｓｔｅｐ４０３）、本編の映像上にスーパーを行わず終了する。
【００７６】
第２の実施の形態によれば、放送されたコンテンツが録画され、その再生時において、録画されたコマーシャル（ＣＭ）等の視聴が早送り等により飛ばされたとしても、番組コンテンツの視聴中に、その映像中にスポンサーなどのロゴがスーパーされて、視聴者はスポンサーなどのロゴを視聴することになる。
【００７７】
＜第３の実施の形態＞
第３の実施の形態は、第１、２の実施の形態に加えて、視聴者が所定のパスワードを入力した場合に、番組の映像上に画像をスーパーする処理を中止するものである。
【００７８】
このような動作をさせるために、画像スーパー制御プログラムは、第１、２の実施の形態に加えて、パスワードの入力のための画面をコンテンツ上に表示させる機能と、パスワードが入力された場合に番組の映像上に画像をスーパーする処理を中止する機能とを有する。
【００７９】
視聴者は、番組コンテンツを提供しているスポンサーや放送局のホームページにアクセスしてパスワードを取得し、そのパスワードを受信機２のリモコンなどを用いて入力する。図１２は受信機２に表示されたパスワードの入力画面の一例を示したものである。
【００８０】
画像スーパー判定部２６は、パスワードが入力されると、画像スーパー制御プログラムに含められているパスワードと照合し、パスワードが一致すれば、番組の映像上への画像スーパーの処理を中止する。
【００８１】
第３の実施の形態では、放送されたコマーシャル（ＣＭ）のような第１のコンテンツを視聴しない場合であっても、第１のコンテンツの視聴に代わって他の行為をした場合に得られるパスワードを入力することにより、画像がスーパーされない第２のコンテンツを視聴することができる。
【００８２】
尚、上述した説明からも明らかなように、各部をハードウェアで構成することも可能であるが、コンピュータプログラムにより実現することも可能である。この場合、プログラムメモリに格納されているプログラムで動作するプロセッサによって、上述した実施の形態及び実施例と同様の機能、動作を実現させる。
【００８３】
以上好ましい実施の形態をあげて本発明を説明したが、本発明は必ずしも上記実施の形態に限定されるものではなく、その技術的思想の範囲内において様々に変形し実施することが出来る。
【符号の説明】
【００８４】
１      放送局
２      受信機
３      録画再生装置
１１    イベントメッセージ送出部（ＥＭ送出部）
１２    ＢＭＬ送出部
１３    データ放送多重部
１４    映像・音声送出部
１５    ＴＳ送出部
２１    チューナー部
２２    復調部
２３    ＴＳデコード
２４    イベントメッセージ検出部
２５    記憶部
２６    画像スーパー判定部
２７    映像制御部
２８    表示部
【図１】
2013183443.tif 000003
【図２】
2013183443.tif 000004
【図３】
2013183443.tif 000005
【図４】
2013183443.tif 000006
【図５】
2013183443.tif 000007
【図６】
2013183443.tif 000008
【図７】
2013183443.tif 000009
【図８】
2013183443.tif 000010
【図９】
2013183443.tif 000011
【図１０】
2013183443.tif 000012
【図１１】
2013183443.tif 000013
【図１２】
2013183443.tif 000014